(57)【特許請求の範囲】
【請求項１】
四隅に平面形状が略Ｌ字状の土手部が形成されているとともに裏面に嵌合段部が形成されている底部と、該底部に重なるように倒すことが可能な相対する長側壁と、前記底部に重なるように倒すことが可能な相対する短側壁とを有し、折り畳み容器を段積みした際には、上に位置する折り畳み容器の底部に形成されている嵌合段部が、箱型に組み立てられた状態の下に位置する折り畳み容器の開口部或いは折り畳まれた状態の下に位置する折り畳み容器の底部に形成された前記土手部に嵌合可能なように構成されている折り畳み容器において、折り畳み容器の底部の裏面に形成されている前記嵌合段部の高さが、所定の高さに形成されており、また、同じ大きさの折り畳み容器の段積み個数を、適宜、調整することにより、箱型に組み立てられた状態で段積みされた前記同じ大きさの折り畳み容器の全体の段積み高さと、折り畳まれた状態で段積みされた前記同じ大きさの折り畳み容器の全体の段積み高さとが、同じ高さとなるように構成されており、且つ、折り畳まれた状態で段積みされた前記同じ大きさの折り畳み容器の段積み個数が、箱型に組み立てられた状態で段積みされた前記同じ大きさの折り畳み容器の段積み個数の倍数であることを特徴とする折り畳み容器。
【発明の詳細な説明】
【０００１】
【発明の属する技術分野】
本発明は、折り畳み容器を、箱型に組み立てられた状態及び折り畳まれた状態で、収納効率よく保管或いは輸送するための折り畳み容器に関するものである。
【０００２】
【従来の技術】
従来、箱型に組み立てられた折り畳み容器の相対する一方の側壁を、底部に重なるように倒し、次いで、相対するもう一方の側壁を、上記の底部に重ねられた一方の側壁の上に重ねるように倒すことにより、高さの低いコンパクトな状態に折り畳むことができるように構成された種々の大きさの折り畳み容器が知られている。
【０００３】
【発明が解決しようとする課題】
このような折り畳み容器を、箱型に組み立てられた状態或いは折り畳まれた状態で、複数個、段積みした際には、段積みされる折り畳み容器の個数を、どのように調整しても、従来の折り畳み容器においては、段積み高さを同じ高さにすることができなかった。従って、折り畳み容器を、箱型に組み立てられた状態或いは折り畳まれた状態で段積みし、倉庫やトラックやコンテナー等に収容した際には、段積み高さが異なるため、保管効率や輸送効率が悪くなるという問題があった。
【０００４】
本発明の目的は、上述した従来の折り畳み容器が有する課題を解決することにある。
【０００５】
【課題を解決するための手段】
本発明は、上述した目的を達成するために、四隅に平面形状が略Ｌ字状の土手部が形成されているとともに裏面に嵌合段部が形成されている底部と、該底部に重なるように倒すことが可能な相対する長側壁と、前記底部に重なるように倒すことが可能な相対する短側壁とを有し、折り畳み容器を段積みした際には、上に位置する折り畳み容器の底部に形成されている嵌合段部が、箱型に組み立てられた状態の下に位置する折り畳み容器の開口部或いは折り畳まれた状態の下に位置する折り畳み容器の底部に形成された前記土手部に嵌合可能なように構成されている折り畳み容器において、折り畳み容器の底部の裏面に形成されている前記嵌合段部の高さが、所定の高さに形成されており、また、同じ大きさの折り畳み容器の段積み個数を、適宜、調整することにより、箱型に組み立てられた状態で段積みされた前記同じ大きさの折り畳み容器の全体の段積み高さと、折り畳まれた状態で段積みされた前記同じ大きさの折り畳み容器の全体の段積み高さとが、同じ高さとなるように構成されており、且つ、折り畳まれた状態で段積みされた前記同じ大きさの折り畳み容器の段積み個数が、箱型に組み立てられた状態で段積みされた前記同じ大きさの折り畳み容器の段積み個数の倍数となるように構成したものである。
【０００６】
【実施例】
以下に、本発明の実施例について説明するが、本発明の趣旨を越えない限り何ら、本実施例に限定されるものではない。なお、大きさの異なる折り畳み容器について説明するが、折り畳み容器を構成する底部、長側壁及び短側壁については、便宜的に、それぞれ、同じ符号１、２ａ、２ｂを使用する。
【０００７】
図１には、本実施例における一番小さな折り畳み容器Ｃ１が、箱型に組み立てられた状態が示されており、折り畳み容器Ｃ１は、底部１と、相対する一方の側壁（以下、長側壁という。）２ａと、相対するもう一方の側壁（以下、短側壁という。）２ｂとから構成されている。また、底部１の裏面には、底部１の裏面より小さな嵌合段部１ａが形成されており、箱型に組み立てられた状態で、折り畳み容器Ｃ１を段積みした際には、上に位置する折り畳み容器Ｃ１の底部１に形成された嵌合段部１ａが、下に位置する折り畳み容器Ｃ１の開口部に嵌合されるとともに、上に位置する折り畳み容器Ｃ１の底部１の裏面が、下に位置する折り畳み容器Ｃ１の長側壁２ａ及び短側壁２ｂの上端に載置されるように構成されている。従って、上に位置する折り畳み容器Ｃ１の下に位置する折り畳み容器Ｃ１に対する水平移動が制限されて、複数の箱型に組み立てられた状態の折り畳み容器Ｃ１を、安定した状態で段積みすることができるように構成されている。
【０００８】
箱型に組み立てられた状態から、例えば、長側壁２ａを底部１に重ねるように倒し、次いで、短側壁２ｂを、底部１に重ねられた長側壁２ａの上に重ねるように倒すことにより、図２に示されているように、一番小さな折り畳み容器Ｃ１を、高さの低いコンパクトな状態に折り畳むことができるように構成されている。図２に示されているように、底部１の四隅には、平面形状が略Ｌ字状の土手部１ｂが形成されており、折り畳まれた状態の折り畳み容器Ｃ１を段積みした際には、上に位置する折り畳み容器Ｃ１の底部１に形成された嵌合段部１ａが、下に位置する折り畳み容器Ｃ１の底部１に形成された土手部１ｂに嵌合され、上に位置する折り畳み容器Ｃ１の下に位置する折り畳み容器Ｃ１に対する水平移動が制限されて、複数の折り畳まれた状態の折り畳み容器Ｃ１を、安定した状態で段積みすることができるように構成されている。
【０００９】
図１に示されている一番小さな折り畳み容器Ｃ１が箱型に組み立てられた状態の高さ（底部１に形成された嵌合段部１ａの裏面から、長側壁２ａ或いは短側壁２ｂの上端までの高さ）は、Ｈ１であり、図２に示されているように、折り畳まれた状態の高さ（底部１に形成された嵌合段部１ａの裏面から、底部１に形成された土手部１ｂの上面までの高さ）は、ｈ１である。
【００１０】
図３には、本実施例における二番目に小さな折り畳み容器Ｃ２が、箱型に組み立てられた状態が示されており、折り畳み容器Ｃ２も、上述した一番小さな折り畳み容器Ｃ１と同様に、底部１と、相対する長側壁２ａと、相対する短側壁２ｂとから構成されているとともに、底部１の裏面には、嵌合段部１ａが形成されており、また、底部１の四隅には、平面形状が略Ｌ字状の土手部１ｂが形成されている。
【００１１】
図３に示されている二番目に小さな折り畳み容器Ｃ２が箱型に組み立てられた状態の高さは、Ｈ２であり、図４に示されているように、折り畳まれた状態の高さは、ｈ２である。
【００１２】
本実施例においては、図３に示されている箱型に組み立てられた状態の二番目に小さな折り畳み容器Ｃ２の短側壁２ｂに沿った幅ｗ２は、図１に示されている箱型に組み立てられた状態の一番小さな折り畳み容器Ｃ１の長側壁２ａに沿った幅ｗ１’と同じに構成されており、また、図３に示されている箱型に組み立てられた状態の二番目に小さな折り畳み容器Ｃ２の長側壁２ａに沿った幅ｗ２’は、図１に示されている箱型に組み立てられた状態の一番小さな折り畳み容器Ｃ１の短側壁２ｂに沿った幅ｗ１の２倍になるように構成されている。従って、図５に示されているように、箱型に組み立てられた状態の二番目に小さな折り畳み容器Ｃ２に、２個の箱型に組み立てられた状態の一番小さな折り畳み容器Ｃ１を段積みすることができる。
【００１３】
図６及び図７に示されている折り畳み容器Ｃ３は、図３に示されている二番目に小さな折り畳み容器Ｃ２とは、図６に示されているように、箱型に組み立てられた状態の高さＨ３及び図７に示されているように、折り畳まれた状態の高さｈ３が、それぞれ、図３に示されている二番目に小さな折り畳み容器Ｃ２が箱型に組み立てられた状態の高さＨ２及び図４に示されているように、折り畳まれた状態の高さｈ２より、高い以外は、同じ構成である。即ち、図６に示されている折り畳み容器Ｃ３の長側壁２ａに沿った幅ｗ３’及び短側壁２ｂに沿った幅ｗ３は、図３に示されている折り畳み容器Ｃ３の長側壁２ａに沿った幅ｗ２’及び短側壁２ｂに沿った幅ｗ２と同じである。以下、便宜的に、この折り畳み容器Ｃ３を、２番目に大きい折り畳み容器Ｃ３という。従って、二番目に小さな折り畳み容器Ｃ２と折り畳み容器Ｃ３とは、箱型に組み立てられた状態及び折り畳まれた状態において、段積み可能であり、また、箱型に組み立てられた状態の折り畳み容器Ｃ３には、２個の箱型に組み立てられた状態の一番小さな折り畳み容器Ｃ１を段積みすることができる。
【００１４】
図８には、本実施例における一番大きな折り畳み容器Ｃ４が、箱型に組み立てられた状態が示されており、折り畳み容器Ｃ４も、上述した一番小さな折り畳み容器Ｃ１、二番目に小さな折り畳み容器Ｃ２及び２番目に大きい折り畳み容器Ｃ３と同様に、底部１と、相対する長側壁２ａと、相対する短側壁２ｂとから構成されているとともに、底部１の裏面には、嵌合段部１ａが形成されており、また、底部１の四隅には、平面形状が略Ｌ字状の土手部１ｂが形成されている。
【００１５】
図８に示されている一番大きな折り畳み容器Ｃ８が箱型に組み立てられた状態の高さは、Ｈ４であり、図９に示されているように、折り畳まれた状態の高さは、ｈ４である。
【００１６】
本実施例においては、図８に示されている箱型に組み立てられた状態の一番大きな折り畳み容器Ｃ８の短側壁２ｂに沿った幅ｗ４は、図３に示されている箱型に組み立てられた状態の二番目に小さな折り畳み容器Ｃ２の長側壁２ａに沿った幅ｗ２’及び図６に示されている箱型に組み立てられた状態の２番目に大きい折り畳み容器Ｃ３の長側壁２ａに沿った幅ｗ３’と同じに構成されており、また、図８に示されている箱型に組み立てられた状態の一番大きな折り畳み容器Ｃ４の長側壁２ａに沿った幅ｗ４’は、図３に示されている箱型に組み立てられた状態の二番目に小さな折り畳み容器Ｃ２の短側壁２ｂに沿った幅ｗ２及び図６に示されている箱型に組み立てられた状態の２番目に大きい折り畳み容器Ｃ３の短側壁２ｂに沿った幅ｗ３の２倍になるように構成されている。従って、図１０に示されているように、箱型に組み立てられた状態の一番大きな折り畳み容器Ｃ４に、２個の箱型に組み立てられた状態の二番目に小さな折り畳み容器Ｃ２或いは２番目に大きい折り畳み容器Ｃ３を段積みすることができる。
【００１７】
なお、上述した一番小さな折り畳み容器Ｃ１、二番目に小さな折り畳み容器Ｃ２、２番目に大きい折り畳み容器Ｃ３及び一番大きな折り畳み容器Ｃ４の底部１に形成された嵌合段部１ａの高さは、全て同じ高さＨｄに形成されている。
【００１８】
図１１（ａ）に示されているように、一番小さな折り畳み容器Ｃ１を、箱型に組み立てた状態で、Ｎ個、段積みした際の全体の高さＺ１は、（Ｈ１−Ｈｄ）×Ｎ＋Ｈｄであり、また、図１１（ｂ）に示されているように、一番小さな折り畳み容器Ｃ１を、折り畳んだ状態で、Ｎ個、段積みした際の全体の高さｚ１は、（ｈ１−Ｈｄ）×Ｎ＋Ｈｄである。
【００１９】
また、図１２（ａ）に示されているように、二番目に大きな折り畳み容器Ｃ３を、箱型に組み立てた状態で、Ｎ個、段積みした際の全体の高さＺ３は、（Ｈ３−Ｈｄ）×Ｎ＋Ｈｄであり、また、図１２（ｂ）に示されているように、二番目に大きな折り畳み容器Ｃ３を、折り畳んだ状態で、Ｎ個、段積みした際の全体の高さｚ３は、（ｈ３−Ｈｄ）×Ｎ＋Ｈｄである。
【００２０】
更に、図１３（ａ）に示されているように、一番大きな折り畳み容器Ｃ４を、箱型に組み立てた状態で、Ｎ個、段積みした際の全体の高さＺ４は、（Ｈ４−Ｈｄ）×Ｎ＋Ｈｄであり、また、図１３（ｂ）に示されているように、一番大きな折り畳み容器Ｃ４を、折り畳んだ状態で、Ｎ個、段積みした際の全体の高さｚ４は、（ｈ４−Ｈｄ）×Ｎ＋Ｈｄである。
【００２１】
本発明においては、箱型に組み立てた状態或いは折り畳まれた状態で、段積みされる折り畳み容器Ｃ１〜Ｃ４の個数Ｎを、適宜、調整することにより、段積みされた折り畳み容器Ｃ１〜Ｃ４の全体の高さＺ１〜Ｚ４、ｚ１〜ｚ４を、全て同じ高さにすることができるように構成されている。
【００２２】
例えば、図１に示されている一番小さな折り畳み容器Ｃ１が箱型に組み立てられた状態の高さＨ１を、８．５ｃｍとし、図２に示されているように、折り畳まれた状態の高さｈ１を、３．５ｃｍとし、底部１に形成された嵌合段部１ａの高さＨｄを、１ｃｍとした場合、箱型に組み立てた状態の一番小さな折り畳み容器Ｃ１を、図１１（ａ）に示されているように、１２個、段積みした際の全体の高さＺ１は、上述したように、（Ｈ１−Ｈｄ）×Ｎ＋Ｈｄであり、従って、Ｚ１は、（８．５ｃｍ−１ｃｍ）×１２＋１ｃｍ＝９１ｃｍである。また、一番小さな折り畳み容器Ｃ１を、図１１（ｂ）に示されているように、折り畳んだ状態で、３６個、段積みした際の全体の高さｚ１は、上述したように、（ｈ１−Ｈｄ）×Ｎ＋Ｈｄであり、従って、ｚ１は、（３．５ｃｍ−１ｃｍ）×３６＋１ｃｍ＝９１ｃｍである。このように、段積み個数Ｎを、適宜、調整することにより、箱型に組み立てたられた折り畳み容器Ｃ１の段積み高さＺ１と折り畳まれた折り畳み容器Ｃ１の段積み高さｚ１とを同じ高さにすることができる。
【００２３】
同様に、例えば、図６に示されている二番目に大きな折り畳み容器Ｃ３が箱型に組み立てられた状態の高さＨ３を、１６ｃｍとし、図７に示されているように、折り畳まれた状態の高さｈ３を、６ｃｍとし、底部１に形成された嵌合段部１ａの高さＨｄを、１ｃｍとした場合、箱型に組み立てた状態の二番目に大きな折り畳み容器Ｃ３を、図１２（ａ）に示されているように、６個、段積みした際の全体の高さＺ３は、上述したように、（Ｈ３−Ｈｄ）×Ｎ＋Ｈｄであり、従って、Ｚ３は、（１６ｃｍ−１ｃｍ）×６＋１ｃｍ＝９１ｃｍである。また、二番目に大きな折り畳み容器Ｃ３を、折り畳んだ状態で、図１２（ｂ）に示されているように、１８個、段積みした際の全体の高さｚ３は、上述したように、（ｈ３−Ｈｄ）×Ｎ＋Ｈｄであり、従って、ｚ３は、（６ｃｍ−１ｃｍ）×１８＋１ｃｍ＝９１ｃｍである。このように、段積み個数Ｎを、適宜、調整することにより、箱型に組み立てたられた折り畳み容器Ｃ３の段積み高さＺ３と折り畳まれた折り畳み容器Ｃ３の段積み高さｚ３とを同じ高さにすることができるとともに、段積み個数Ｎを、適宜、調整することにより、二番目に大きな折り畳み容器Ｃ３が箱型に組み立てられた状態の段積み高さＺ３と、二番目に大きな折り畳み容器Ｃ３が折り畳まれた状態の段積み高さｚ３と、二番目に小さな折り畳み容器Ｃ２が箱型に組み立てられた状態の段積み高さＺ２と、二番目に小さな折り畳み容器Ｃ１が折り畳まれた状態の段積み高さｚ２と、一番小さな折り畳み容器Ｃ１が箱型に組み立てられた状態の段積み高さＺ１と、一番小さな折り畳み容器Ｃ１が折り畳まれた状態の段積み高さｚ１とを、全て均一で同じ高さにすることができる。
【００２４】
同様に、例えば、図８に示されている一番大きな折り畳み容器Ｃ４が箱型に組み立てられた状態の高さＨ４を、３１ｃｍとし、図９に示されているように、折り畳まれた状態の高さｈ４を、７ｃｍとし、底部１に形成された嵌合段部１ａの高さＨｄを、１ｃｍとした場合、箱型に組み立てた状態の一番大きな折り畳み容器Ｃ４を、図１３（ａ）に示されているように、３個、段積みした際の全体の高さＺ４は、上述したように、（Ｈ４−Ｈｄ）×Ｎ＋Ｈｄであり、従って、Ｚ４は、（３１ｃｍ−１ｃｍ）×３＋１ｃｍ＝９１ｃｍである。また、一番大きな折り畳み容器Ｃ４を、折り畳んだ状態で、図１３（ｂ）に示されているように、１５個、段積みした際の全体の高さｚ４は、上述したように、（ｈ４−Ｈｄ）×Ｎ＋Ｈｄであり、従って、ｚ４は、（７ｃｍ−１ｃｍ）×１５＋１ｃｍ＝９１ｃｍである。このように、段積み個数を、適宜、調整することにより、箱型に組み立てたられた折り畳み容器Ｃ４の段積み高さＺ４と折り畳まれた折り畳み容器Ｃ４の段積み高さｚ４とを同じ高さにすることができるとともに、段積み個数を、適宜、調整することにより、一番大きな折り畳み容器Ｃ４が箱型に組み立てられた状態の段積み高さＺ４と、一番大きな折り畳み容器Ｃ４が折り畳まれた状態の段積み高さｚ４と、二番目に大きな折り畳み容器Ｃ３が箱型に組み立てられた状態の段積み高さＺ３と、二番目に大きな折り畳み容器Ｃ３が折り畳まれた状態の段積み高さｚ３と、二番目に小さな折り畳み容器Ｃ２が箱型に組み立てられた状態の段積み高さＺ２と、二番目に小さな折り畳み容器Ｃ１が折り畳まれた状態の段積み高さｚ２と、一番小さな折り畳み容器Ｃ１が箱型に組み立てられた状態の段積み高さＺ１と、一番小さな折り畳み容器Ｃ１が折り畳まれた状態の段積み高さｚ１とを、全て均一で同じ高さにすることができる。
【００２５】
図１４及び図１５に示されている段積み例は、箱型に組み立てられた状態の一番小さな折り畳み容器Ｃ１、箱型に組み立てられた状態の二番目に小さな折り畳み容器Ｃ２、箱型に組み立てられた状態の二番目に大きな折り畳み容器Ｃ３及び箱型に組み立てられた状態の一番大きな折り畳み容器Ｃ４が、混在して段積みされたものである。
【００２６】
図１４（ａ）の段積みは、箱型に組み立てられた状態の１個の一番大きな折り畳み容器Ｃ４の上に、２個の箱型に組み立てられた状態の二番目に大きな折り畳み容器Ｃ３を並設状態に１段に段積みし、２個、並設された箱型に組み立てられた状態の二番目に大きな折り畳み容器Ｃ３の上に、６個の箱型に組み立てられた状態の二番目に小さな折り畳み容器Ｃ２を用いて、箱型に組み立てられた状態の二番目に小さな折り畳み容器Ｃ２を、３段に段積みし、更に、３段に段積みされた箱型に組み立てられた状態の二番目に小さな折り畳み容器Ｃ２の上に、４個の箱型に組み立てられた状態の一番小さな折り畳み容器Ｃ１を用いて、箱型に組み立てられた状態の一番小さな折り畳み容器Ｃ１を、２段に段積みしたものであり、このように、箱型に組み立てられた状態の折り畳み容器Ｃ１〜Ｃ４が混在して段積みされた全体の高さＺ５は、上述したと同様に、９１ｃｍとなる。また、図１４（ｂ）の段積みは、箱型に組み立てられた状態の一番小さな折り畳み容器Ｃ１が４個、箱型に組み立てられた状態の二番目に小さな折り畳み容器Ｃ２が３個及び箱型に組み立てられた状態の二番目に大きな折り畳み容器Ｃ３が２個、混在して段積みされたものであり、この場合の全体の高さＺ６も、上述したと同様に、９１ｃｍとなる。
【００２７】
図１５（ａ）の段積みは、箱型に組み立てられた状態の１個の一番大きな折り畳み容器Ｃ４の上に、８個の箱型に組み立てられた状態の二番目に大きな折り畳み容器Ｃ３を用いて、箱型に組み立てられた状態の二番目に大きな折り畳み容器Ｃ３を、４段に段積みしたものであり、このように、箱型に組み立てられた状態の折り畳み容器Ｃ３、Ｃ４が混在して段積みされた全体の高さＺ７は、上述したと同様に、９１ｃｍとなる。また、図１５（ｂ）の段積みは、箱型に組み立てられた状態の二番目に大きな折り畳み容器Ｃ３が２個及び箱型に組み立てられた状態の二番目に小さな折り畳み容器Ｃ２が６個、混在して段積みされたものであり、この場合の全体の高さＺ８も、上述したと同様に、９１ｃｍとなる。
【００２８】
上述したように、箱型に組み立てられた状態の一番小さな折り畳み容器Ｃ１、箱型に組み立てられた状態の二番目に小さな折り畳み容器Ｃ２、箱型に組み立てられた状態の二番目に大きな折り畳み容器Ｃ３及び箱型に組み立てられた状態の一番大きな折り畳み容器Ｃ４を、混在して段積みした場合にも、それぞれ、箱型に組み立てられた折り畳み容器Ｃ１〜Ｃ４の段積み個数Ｎを、適宜、調整することにより、段積み高さを同じにすることができる。
【００２９】
図１６（ａ）の段積み例は、折り畳まれた状態の５個の一番大きな折り畳み容器Ｃ４の上に、１２個の折り畳まれた状態の二番目に大きな折り畳み容器Ｃ３を用いて、折り畳まれた状態の二番目に大きな折り畳み容器Ｃ３を、６段に段積みし、更に、６段に段積みされた折り畳まれた状態の二番目に大きな折り畳み容器Ｃ３の上に、２０個の折り畳まれた状態の二番目に小さな折り畳み容器Ｃ２を用いて、折り畳まれた状態の二番目に小さな折り畳み容器Ｃ２を、１０段に段積みしたものであり、このように、折り畳まれた状態の折り畳み容器Ｃ２〜Ｃ４が混在して段積みされた全体の高さＺ９は、上述したと同様に、９１ｃｍとなる。また、図１６（ｂ）の段積みは、折り畳まれた状態の二番目に大きな折り畳み容器Ｃ３が６個、折り畳まれた状態の二番目に小さな折り畳み容器Ｃ２が１０個及び折り畳まれた状態の一番小さな折り畳み容器Ｃ１が１２個、混在して段積みされたものであり、この場合の全体の高さＺ１０も、上述したと同様に、９１ｃｍとなる。
【００３０】
なお、箱型に組み立てられた状態の一番小さな折り畳み容器Ｃ１、箱型に組み立てられた状態の二番目に小さな折り畳み容器Ｃ２、箱型に組み立てられた状態の二番目に大きな折り畳み容器Ｃ３、箱型に組み立てられた状態の一番大きな折り畳み容器Ｃ４、折り畳まれた状態の一番小さな折り畳み容器Ｃ１、折り畳まれた状態の二番目に小さな折り畳み容器Ｃ２、折り畳まれた状態の二番目に大きな折り畳み容器Ｃ３及び折り畳まれた状態の一番大きな折り畳み容器Ｃ４が、混在するように段積みした場合でも、段積み個数Ｎを、適宜、調整することにより、所定の均一な高さに段積みすることができる。
【００３１】
例えば、折り畳み容器Ｃ１〜Ｃ４を、パレットに段積み状態に載置して、コンテナーに収容し輸送する場合に、パレットの高さが、１５ｃｍで、上述したように、折り畳み容器Ｃ１〜Ｃ４を、パレットに、全て均一な高さである９１ｃｍに段積みすることができると、折り畳み容器Ｃ１〜Ｃ４とパレットを含め全体の高さを、全て、１０６ｃｍとすることができる。従って、例えば、内寸高さが、２２０ｃｍ程度のコンテナーに、２段状態に、折り畳み容器Ｃ１〜Ｃ４が段積みされたパレットを収容する際には、折り畳み容器Ｃ１〜Ｃ４が段積みされた如何なるパレットを、フォークリフト等を用いて、コンテナーに収容しても、確実に、２段に収容することができるとともに、無駄なスペースが少なくなり、保管効率や輸送効率が向上することになる。従来の折り畳み容器のように、段積み高さがバラバラであると、折り畳み容器が段積みされたパレットを選択して、コンテナー等に収容しなければならず、従って、コンテナー等への折り畳み容器が段積みされたパレットの収容作業の作業性が悪いとともに、折り畳み容器が段積みされたパレットが収容されたコンテナー等の上方に大きな無駄なスペースが生じ、保管効率や輸送効率が悪化することになる。
【００３２】
【発明の効果】
本発明は、以上説明した構成を有しているので、以下に記載する効果を奏するものである。
【００３３】
折り畳み容器を、箱型に組み立てられた状態及び／又は折り畳まれた状態で段積みした際に、段積み個数を、適宜、調整することにより、所定の均一な高さに段積みすることができるように構成したので、段積みされた折り畳み容器の保管効率や輸送効率が向上する。
【図面の簡単な説明】
【図１】  図１は本発明の折り畳み容器が箱型に組み立てられた状態の斜視図である。
【図２】  図２は図１に示されている折り畳み容器が折り畳まれた状態の斜視図である。
【図３】  図３は本発明の他の折り畳み容器が箱型に組み立てられた状態の斜視図である。
【図４】  図４は図３に示されている折り畳み容器が折り畳まれた状態の斜視図である。
【図５】  図５は図３に示されている折り畳み容器に、図１に示されている２個の折り畳み容器が段積みされた状態の斜視図である。
【図６】  図６は本発明の更に他の折り畳み容器が箱型に組み立てられた状態の斜視図である。
【図７】  図７は図６に示されている折り畳み容器が折り畳まれた状態の斜視図である。
【図８】  図８は更にまた他の折り畳み容器が箱型に組み立てられた状態の斜視図である。
【図９】  図９は図８に示されている折り畳み容器が折り畳まれた状態の斜視図である。
【図１０】  図１０は図８に示されている折り畳み容器に、図３に示されている２個の折り畳み容器が段積みされた状態の斜視図である。
【図１１】  図１１は図１及び図２に示されている折り畳み容器が所定数段積みされた状態の正面図である。
【図１２】  図１２は図６及び図７に示されている折り畳み容器が所定数段積みされた状態の正面図である。
【図１３】  図１３は図８及び図９に示されている折り畳み容器が所定数段積みされた状態の正面図である。
【図１４】  図１４は本発明の箱型に組み立てられた状態の折り畳み容器が混在して段積みされた状態の正面図である。
【図１５】  図１５は本発明の箱型に組み立てられた状態の折り畳み容器が混在して段積みされた状態の他の実施例の正面図である。
【図１６】  図１６は本発明の折り畳まれた状態の折り畳み容器が混在して段積みされた状態の更に他の実施例の正面図である。
【符号の説明】
Ｃ１〜Ｃ４・・・・・・・・・・・・折り畳み容器
１・・・・・・・・・・・・・・・・底部
２ａ・・・・・・・・・・・・・・・長側壁
２ｂ・・・・・・・・・・・・・・・短側壁
【図１】
0003939126.tif 000002
【図２】
0003939126.tif 000003
【図３】
0003939126.tif 000004
【図４】
0003939126.tif 000005
【図５】
0003939126.tif 000006
【図６】
0003939126.tif 000007
【図７】
0003939126.tif 000008
【図８】
0003939126.tif 000009
【図９】
0003939126.tif 000010
【図１０】
0003939126.tif 000011
【図１１】
0003939126.tif 000012
【図１２】
0003939126.tif 000013
【図１３】
0003939126.tif 000014
【図１４】
0003939126.tif 000015
【図１５】
0003939126.tif 000016
【図１６】
0003939126.tif 000017